(57)【要約】      （修正有）【課題】引出しを所定の角度回動させることができる、デスクの下部のキーボードを収納する引出しの角度調整機構を提供する。【解決手段】ロック接続節１１を有するロック接続具１０と、当止板２１を有する接合具２０と、結合節３１を有する可動片３０と、ラッチ作動具４０と、調整組付具５０とを備え、ロック接続節上に穿孔１２が設けられ、当止板上に継合部２２が延出され、継合部の内周縁に複数の第１噛歯２５が設けられ、第１噛歯の中央箇所から凸柱２６が延出され、継合部が穿孔内に貫設され、結合節の中央箇所に凸柱の貫設を受ける通孔３２が設けられ、結合節の底端に受載節が折曲され、結合節がロック接続節の他側面上に装着され、ラッチ作動具の内部に凸柱の通過を受ける貫通孔が設けられ、その一末端に複数の第２噛歯４２が設けられ、第２噛歯が通孔を通過して第１噛歯に噛合され、調整組付具が結合節と受載節との間に装着される。【選択図】図２
0003220592.tif 000002
【実用新案登録請求の範囲】
【請求項１】
ロック接続具と、接合具と、可動片と、ラッチ作動具と、調整組付具とを備える角度調整機構であって、
前記ロック接続具は、ロック接続節を有し、前記ロック接続節上に穿孔が設けられ、
前記接合具は、当止板を有し、前記当止板上に外径が前記当止板よりも小さく中空状に形成される継合部が延出され、前記継合部の内周縁に環状に配列形成される複数の第１噛歯が設けられ、当該第１噛歯の中央箇所から長さが前記継合部よりも長い凸柱が延出され、前記継合部が前記穿孔内に貫設され、前記当止板が前記ロック接続節の一側面に触接して当止され、
前記可動片は、結合節を有し、前記結合節の中央箇所に前記凸柱の貫設を受ける通孔が設けられ、前記結合節の底端に受載節が折曲され、前記結合節が前記ロック接続節の他側面上に装着され、
前記結合節と前記受載節との間に装着される前記ラッチ作動具の内部に、前記凸柱の通過を受ける貫通孔が設けられ、その一末端に環状に配列形成される複数の第２噛歯が設けられ、その他末端に少なくとも１つの第１位置制限溝と、少なくとも１つの可動溝とが設けられ、当該第１位置制限溝と当該可動溝との間に第２位置制限溝が設けられ、前記第２位置制限溝と、当該第１位置制限溝と、当該可動溝とは相互に並列刻設され、当該第２噛歯が前記通孔を通過して当該第１噛歯に噛合され、
前記結合節と前記受載節との間に装着される前記調整組付具は、捩動具と、第１調整具と、第２調整具とを含み、
前記捩動具の一端内部に収容空間が設けられ、前記収容空間内に少なくとも１つの係止規制突起が設けられ、前記捩動具の他端内部に装置孔が設けられ、前記収容空間と前記装置孔との間に連通する貫設孔が設けられ、前記収容空間に当該第１位置制限溝と、当該可動溝と、前記第２位置制限溝とが配設され、当該係止規制突起は、当該第１位置制限溝と、当該可動溝と、前記第２位置制限溝とに変位可能な組付接続を行え、かつ前記貫設孔に前記凸柱の貫設を受け、
前記第１調整具の内部に貫通する収容孔が設けられ、前記第１調整具の中央箇所に前記収容孔にまで連通する少なく１つの固定溝と、少なくとも１つの調整溝とが設けられ、当該固定溝と当該調整溝との相互に平行な間を連通するための接合溝が設けられ、前記第１調整具が前記装置孔内に装着され、
前記第２調整具の一端外表面上に少なくとも１つの円柱が延出され、前記第２調整具が前記収容孔に装着され、当該円柱は、当該固定溝と、当該調整溝と、前記接合溝とに変位可能な結合を行えることを特徴とする、デスクの下部のキーボードを収納する引出しの角度調整機構。
【請求項２】
前記穿孔の内縁に少なくとも１つの第１係止規制溝が設けられ、前記ロック接続節の頂端と相互に垂直に第１挟持節が折曲され、前記第１挟持節上に前記ロック接続節とは反対方向に折曲される折曲節が形成され、前記折曲節と前記第１挟持節とは相互に垂直であり、前記折曲節の末端に前記第１挟持節と対向する第２挟持節が折曲されることで、前記第１挟持節と前記第２挟持節との間に、挟持固定に供される挟持口を形成させることを特徴とする、請求項１に記載のデスクの下部のキーボードを収納する引出しの角度調整機構。
【請求項３】
前記継合部上に少なくとも１つの切欠きが設けられ、前記継合部の外周縁に少なくとも１つの当止突起が設けられ、前記凸柱の前記当止板と逆方向に位置する端部に組付接続部が設けられ、前記当止板と前記凸柱の内部に連通・貫通する第１ネジロック孔が設けられ、前記当止突起が当該第１係止規制溝内に装着されることを特徴とする、請求項２に記載のデスクの下部のキーボードを収納する引出しの角度調整機構。
【請求項４】
前記結合節には、前記通孔を中心として２つの相対する第１固定孔が設けられ、前記通孔の内縁に少なくとも１つの第２係止規制溝が設けられ、前記結合節と前記受載節との継接箇所には、前記受載節による干渉を受けないように前記捩動具の回動に供される凹窪空間が設けられ、前記受載節上に前記結合節と継接する反対端に２つの第１結合孔が設けられることを特徴とする、請求項３に記載のデスクの下部のキーボードを収納する引出しの角度調整機構。
【請求項５】
前記ラッチ作動具の当該第２噛歯が位置する一端に各自に少なくとも１つの突起が設けられ、２つの前記ラッチ作動具の中央箇所に各自に環状の止付け部が設けられ、前記止付け部上には、前記貫通孔を中心として２つの相対する第２固定孔が設けられ、当該突起の一端が当該切欠き内に装着され、他端が当該第２係止規制溝による係止規制を受け、前記止付け部が前記結合節の止付けによる位置制限を受けることを特徴とする、請求項４に記載のデスクの下部のキーボードを収納する引出しの角度調整機構。
【請求項６】
前記装置孔内に２つの組付接続突起が設けられ、前記捩動具の外表面に、前記捩動具の回動を容易にするために供される捩動部が延出され、前記第１調整具の一端外表面に２つの組付接続溝が設けられ、他端外表面に２つの組合せ部が設けられると共に、前記２つの組付接続溝と前記２つの組付接続突起とは、組付接続によって係止規制され、前記第２調整具の一端内部に凹孔が設けられ、前記第２調整具の他端内部に取付け孔が設けられ、前記凹孔と前記取付け孔との間に連通・貫通する第２ネジロック孔が設けられ、前記取付け孔に前記組付接続部が組合せられ、前記調整組付具は、蓋キャップをさらに含み、前記蓋キャップ上に組合せ孔が設けられ、前記蓋キャップが前記捩動具の前記装置孔が位置する一端に装着されると共に、前記組合せ孔を介して前記組合せ部に継合されることを特徴とする、請求項５に記載のデスクの下部のキーボードを収納する引出しの角度調整機構。
【請求項７】
第１ネジロック具と、２つの第２ネジロック具とをさらに備え、前記第１ネジロック具をそれぞれ前記第２調整具の凹孔内に装着すると共に、前記第２ネジロック孔と前記接合具の第１ネジロック孔とに貫設することにより、前記第１調整具を前記接合具にロック着設させ、前記２つの第２ネジロック具をそれぞれ前記可動片の当該第１固定孔と前記ラッチ作動具の当該第２固定孔とに貫設することにより、前記可動片をそれぞれ前記ラッチ作動具にロック着設させることを特徴とする、請求項６に記載のデスクの下部のキーボードを収納する引出しの角度調整機構。
【請求項８】
引出しをさらに備え、２つの前記角度調整機構を使用して前記引出しの両端箇所に合致装着し、前記引出しの底部の両端にそれぞれ各自にスライドレールが装着され、当該スライドレールの中央箇所に貫通する長溝が設けられ、当該スライドレールは、スライド駒と、２つの第３ネジロック具とを含み、前記長溝内に貫設される前記スライド駒の中央箇所に２つの第２結合孔が設けられ、前記２つの第３ネジロック具をそれぞれ前記可動片の当該第１結合孔と前記スライド駒の当該第２結合孔とに貫設することにより、前記スライド駒を前記可動片にロック着設させることを特徴とする、請求項４に記載のデスクの下部のキーボードを収納する引出しの角度調整機構。
【考案の詳細な説明】
【技術分野】
【０００１】
本考案は、調整機構に係り、特に、パソコンデスクに結合される収納引出しの角度を調整可能な調整機構に関するものである。
【背景技術】
【０００２】
パソコンの盛行と邁進に伴って、パソコンデスクも相まって隠蔽式引出しを備えるように進化したパソコンデスクや、パソコンディスプレイを置くためのデスクの天板に調整可能な傾斜角設計を採用したパソコンデスクなどの多様化設計が挙げられ、この傾斜角設計次第で長期間の使用から使用者を保護することができ、放射線から目に与える深刻なダメージを確実に回避できる。
【０００３】
しかし、市販のパソコンデスクは、通常、パソコンディスプレイの配置だけについて調整を行うものばかりで、キーボードを載置するための収納引出しについて角度調整作業を行うものがないので、収納引出しをパソコンデスクの天板の下方から引き出したり、または押し戻したりする状態のみを許す。
【考案の概要】
【考案が解決しようとする課題】
【０００４】
ところで、使用者ごとに異なる身長や腕の長さに対応できないため、使用者の腕を最も心地よい姿勢で収納引出し上に乗せ置くことができず、長期間にわたって使用者の筋肉凝りや筋肉痛などの不調が引き起される。
【課題を解決するための手段】
【０００５】
本考案が提供するデスク用クリップ型のデスクの下部のキーボードを収納する引出しの角度調整機構において、角度調整機構は、ロック接続具と、接合具と、可動片と、ラッチ作動具と、調整組付具とを備え、前記ロック接続具は、ロック接続節を有し、前記ロック接続節上に穿孔が設けられ、前記接合具は、当止板を有し、前記当止板上に外径が前記当止板よりも小さく中空状に形成される継合部が延出され、前記継合部の内周縁に環状に配列形成される複数の第１噛歯が設けられ、当該第１噛歯の中央箇所から長さが前記継合部よりも長い凸柱が延出され、前記継合部が前記穿孔内に貫設され、前記当止板が前記ロック接続節の一側面に触接して当止され、前記可動片は、結合節を有し、前記結合節の中央箇所に前記凸柱の貫設を受ける通孔が設けられ、前記結合節の底端に受載節が折曲され、前記結合節が前記ロック接続節の他側面上に装着され、前記結合節と前記受載節との間に装着される前記ラッチ作動具の内部に、前記凸柱の通過を受ける貫通孔が設けられ、その一末端に環状に配列形成される複数の第２噛歯が設けられ、その他末端に少なくとも１つの第１位置制限溝と、少なくとも１つの可動溝とが設けられ、当該第１位置制限溝と当該可動溝との間に第２位置制限溝が設けられ、前記第２位置制限溝と、当該第１位置制限溝と、当該可動溝とは相互に並列刻設され、当該第２噛歯が前記通孔を通過して当該第１噛歯に噛合され、前記結合節と前記受載節との間に装着される前記調整組付具は、捩動具と、第１調整具と、第２調整具とを含み、前記捩動具の一端内部に収容空間が設けられ、前記収容空間内に少なくとも１つの係止規制突起が設けられ、前記捩動具の他端内部に装置孔が設けられ、前記収容空間と前記装置孔との間に連通する貫設孔が設けられ、前記収容空間に当該第１位置制限溝と、当該可動溝と、前記第２位置制限溝とが配設され、当該係止規制突起は、当該第１位置制限溝と、当該可動溝と、前記第２位置制限溝とに変位可能な組付接続を行え、かつ前記貫設孔に前記凸柱の貫設を受け、前記第１調整具の内部に貫通する収容孔が設けられ、前記第１調整具の中央箇所に前記収容孔にまで連通する少なく１つの固定溝と、少なくとも１つの調整溝とが設けられ、当該固定溝と当該調整溝との相互に平行な間を連通するための接合溝が設けられ、前記第１調整具が前記装置孔内に装着され、前記第２調整具の一端外表面上に少なくとも１つの円柱が延出され、前記第２調整具が前記収容孔に装着され、当該円柱は、当該固定溝と、当該調整溝と、前記接合溝とに変位可能な結合を行える
【考案の効果】
【０００６】
本考案の目的は、調整組付具をラッチ作動具の方向に向かって変位させることにより、前記調整組付具の変位によって接合具の変位を連動させることで、前記ラッチ作動具と前記接合具によるロック接続具のロック接続節と可動片の結合節への押し当てを解除し、かつ前記接合具の第１噛歯が前記ラッチ作動具の第２噛歯との噛合制限を解除し、これにより、前記可動片を回動させることで、引出しを所定の角度回動させることが達成できるので、使用者の腕を最も心地よい姿勢で前記引出し上に乗せ置くことができる。
【図面の簡単な説明】
【０００７】
【図１】本考案の角度調整機構と引出しの組合せ斜視図である。
【図２】本考案の角度調整機構と引出しの分解斜視図である。
【図３】本考案の角度調整機構の分解斜視図である。
【図４】本考案の角度調整機構の組合せ断面図である。
【図５】本考案の図４の矢印で示される線に沿って表示する捩動具の断面図である。
【図６】本考案の角度が未調整の角度調整機構の組合せ断面図である。
【図７】本考案の捩動具を回動させて係止規制を解除する態様を示す斜視図である。
【図８】本考案の捩動具の係止規制突起をラッチ作動具の第１位置制限溝から可動溝に変位させる態様を示す図である。
【図９】本考案の接合具の第１噛歯をラッチ作動具の第２噛歯から離脱させる態様を示す図である。
【図１０】本考案の図８の矢印で示される線に沿って表示する捩動具を所定の角度回した後の第１調整具と第２調整具の組合せを示す図である。
【図１１】本考案の可動片と引出しを所定の角度回す態様を示す図である。
【図１２】本考案の捩動具を回動させて係止規制を復元する態様を示す図である。
【図１３】本考案の係止規制突起を可動溝から第２位置制限に変位させる態様を示す図である。
【図１４】本考案の図１３の矢印で示される線に沿って表示する可動片を所定の角度回した後の第１調整具と第２調整具の組合せを示す図である。
【図１５】本考案の可動片を所定の角度回した後の角度調整機構の組合せ断面図である。
【考案を実施するための形態】
【０００８】
図１〜図６に示すように、本考案が提供するデスクの下部のキーボードを収納する引出しの角度調整機構において、その角度調整機構１は、ロック接続具１０と、接合具２０と、可動片３０と、ラッチ作動具４０と、調整組付具５０と、第１ネジロック具６０と、２つの第２ネジロック具６１とを備え、２つの前記角度調整機構１を使用して引出し７０の両端箇所に合致装着する。
【０００９】
前記ロック接続具１０は、ロック接続節１１を有し、前記ロック接続節１１上に穿孔１２が設けられ、前記穿孔１２の内縁に少なくとも１つの第１係止規制溝１３が設けられ、前記ロック接続節１１の頂端と相互に垂直に第１挟持節１４が折曲され、前記第１挟持節１４上に前記ロック接続節１１とは反対方向に折曲される折曲節１５が形成され、前記折曲節１５と前記第１挟持節１４とは相互に垂直であり、前記折曲節１５の末端に前記第１挟持節１４と対向する第２挟持節１６が折曲されることで、前記第１挟持節１４と前記第２挟持節１６との間に挟持口１７を形成させ、前記挟持口１７は、挟持固定に供される。
【００１０】
前記接合具２０は、当止板２１を有し、前記当止板２１上に外径が前記当止板２１よりも小さく中空状に形成される継合部２２が延出され、前記継合部２２上に少なくとも１つの切欠き２３が設けられ、前記継合部２２の外周縁に少なくとも１つの当止突起２４が設けられ、その内周縁に環状に配列形成される複数の第１噛歯２５が設けられ、当該第１噛歯２５の中央箇所から長さが前記継合部２２よりも長い凸柱２６が延出され、前記凸柱２６の前記当止板２１と逆方向に位置する端部に組付接続部２７が設けられ、前記当止板２１と前記凸柱２６の内部に連通・貫通する第１ネジロック孔２８が設けられ、前記接合具２０の継合部２２が前記ロック接続具１０の穿孔１２内に貫設され、前記当止突起２４が当該第１係止規制溝１３内に位置し、前記当止板２１が前記ロック接続節１１の一側面に触接して当止される。
【００１１】
前記可動片３０は、結合節３１を有し、前記結合節３１の中央箇所に通孔３２が設けられ、及び前記通孔３２を中心として２つの相対する第１固定孔３３が設けられ、前記通孔３２の内縁に少なくとも１つの第２係止規制溝３４が設けられ、前記結合節３１の底端と相互に垂直に受載節３５が折曲され、前記結合節３１と前記受載節３５との継接箇所に凹窪空間３６が設けられ、前記受載節３５上に前記結合節３１と継接する反対端に２つの第１結合孔３７が設けられ、前記可動片３０の結合節３１が前記ロック接続具１０のロック接続節１１の他側面上に装着され、前記通孔３２は、また前記凸柱２６の貫設を受ける。
【００１２】
前記ラッチ作動具４０の内部に貫通孔４１が設けられ、その一末端に環状に配列形成される複数の第２噛歯４２が設けられ、その他末端に少なくとも１つの第１位置制限溝４３と、少なくとも１つの可動溝４４とが設けられ、当該第１位置制限溝４３と当該可動溝４４との間に第２位置制限溝４５が設けられ、前記第２位置制限溝４５と、当該第１位置制限溝４３と、当該可動溝４４とは相互に並列刻設され、なおかつ当該可動溝４４の溝谷深さが、前記第２位置制限溝４５の溝谷深さと当該第１位置制限溝４３の溝谷深さよりも大きく、２つの前記ラッチ作動具４０の当該第２噛歯４２が位置する一端に各自に少なくとも１つの突起４６が設けられ、２つの前記ラッチ作動具４０の中央箇所に各自に環状の止付け部４７が設けられ、前記止付け部４７上には、前記貫通孔４１を中心として２つの相対する第２固定孔４８が設けられ、前記ラッチ作動具４０が前記可動片３０の結合節３１と受載節３５との間に装着され、当該第２噛歯４２が前記通孔３２を通過して当該第１噛歯２５に噛合され、かつ当該突起４６の一端が第２係止規制溝３４による係止規制を受け、他端が当該切欠き２３内に位置し、前記貫通孔４１にまた前記凸柱２６の通過を受け、前記止付け部４７がまた前記結合節３１の止付けによる位置制限を受ける。
【００１３】
前記調整組付具５０が前記結合節３１と前記受載節３５との間に装着される。前記調整組付具５０は、捩動具５１と、第１調整具５２と、第２調整具５３と、蓋キャップ５４とを含む。
【００１４】
前記捩動具５１の一端内部に収容空間５１１が設けられ、前記収容空間５１１内に少なくとも１つの係止規制突起５１２が設けられ、前記捩動具５１の他端内部に装置孔５１３が設けられ、前記装置孔５１３に少なくとも１つの組付接続突起５１４が設けられ、前記収容空間５１１と前記装置孔５１３との間に連通する貫設孔５１５が設けられ、前記捩動具５１の外表面に捩動部５１６が延出され、前記捩動具５１の収容空間５１１に前記ラッチ作動具４０の第１位置制限溝４３と、可動溝４４と、第２位置制限溝４５とが配設され、当該係止規制突起５１２は、また当該第１位置制限溝４３と、当該可動溝４４と、前記第２位置制限溝４５とに変位可能な組付接続を行え、かつ前記貫設孔５１５に前記凸柱２６の貫設を受ける。
【００１５】
前記第１調整具５２の内部に貫通する収容孔５２１が設けられ、前記第１調整具５２の一端外表面に少なくとも１つの組付接続溝５２２が設けられ、他端外表面に少なくとも１つの組合せ部５２３が設けられ、前記第１調整具５２の中央箇所に前記収容孔５２１にまで連通する少なく１つの固定溝５２４と、少なくとも１つの調整溝５２５とが設けられ、当該固定溝５２４と当該調整溝５２５との相互に平行な間を連通するための接合溝５２６が設けられ、前記第１調整具５２が前記装置孔５１３内に装着されると共に、当該組付接続溝５２２と当該組付接続突起５１４とは、組付接続によって係止規制される。
【００１６】
前記第２調整具５３の一端外表面上に少なくとも１つの円柱５３１が延出され、及びその内部に凹孔５３２が設けられ、前記第２調整具５３の他端内部に取付け孔５３３が設けられ、前記凹孔５３２と前記取付け孔５３３との間に連通・貫通する第２ネジロック孔５３４が設けられ、前記第２調整具５３が前記収容孔５２１に装着され、当該円柱５３１は、当該固定溝５２４と、当該調整溝５２５と、前記接合溝５２６とに変位可能な結合を行えると共に、前記取付け孔５３３に前記組付接続部２７が組合せられる。
【００１７】
前記蓋キャップ５４上に組合せ孔５４１が設けられ、前記蓋キャップ５４が前記捩動具５１の前記装置孔５１３が位置する一端に装着されると共に、前記組合せ孔５４１を介して前記組合せ部５２３に継合される。
【００１８】
前記第１ネジロック具６０をそれぞれ前記第２調整具５３の凹孔５３２内に装着すると共に、前記第２ネジロック孔５３４と前記接合具２０の第１ネジロック孔２８とに貫設することにより、前記第１調整具５２を前記接合具２０にロック着設させる。
【００１９】
前記２つの第２ネジロック具６１をそれぞれ前記可動片３０の第１固定孔３３と前記ラッチ作動具４０の第２固定孔４８とに貫設することにより、前記可動片３０をそれぞれ前記ラッチ作動具４０にロック着設させる。
【００２０】
前記引出し７０の底部の両端にそれぞれ各自にスライドレール７１が装着され、当該スライドレール７１の中央箇所に貫通する長溝７１１が設けられ、当該スライドレール７１は、スライド駒７２と、２つの第３ネジロック具７３とを含み、前記スライド駒７２の中央箇所に２つの第２結合孔７２１が設けられ、前記スライド駒７２が前記長溝７１１内に貫設され、前記２つの第３ネジロック具７３をそれぞれ前記可動片３０の第１結合孔３７と前記スライド駒７２の第２結合孔７２１とに貫設することにより、前記スライド駒７２を前記可動片３０にロック着設させる。
【００２１】
本考案は、使用時、図７に示すように、調整組付具５０の捩動具５１は、捩動部５１６に力を加えることにより、前記捩動具５１を回動させると共に、前記捩動部５１６が前記可動片３０の凹窪空間３６内に位置することで、前記捩動具５１の回動は、前記可動片３０の受載節３５による干渉を受けないようにさせることができる。図８〜図１０に示すように、前記捩動具５１の回動時につれて第１調整具５２を回動させるように動作することで、前記第１調整具５２の固定溝５２４を第２調整具５３の円柱５３１を中心として回動させ、そして前記第１調整具５２は、接合溝５２６により当該円柱５３１を調整溝５２５内に位置させるように変更し、及び前記捩動具５１の係止規制突起５１２をラッチ作動具４０の第１位置制限溝４３から可動溝４４に変位させることにより、２つの前記調整組付具５０を前記ラッチ作動具４０の止付け部４７の方向に向かって変位させ、そして前記調整組付具５０の変位によって接合具２０の変位を連動させることで、前記ラッチ作動具４０の止付け部４７と前記接合具２０の当止板２１によるロック接続具１０のロック接続節１１と可動片３０の結合節３１への押し当てを解除し、なおかつ前記接合具２０の第１噛歯２５が前記ラッチ作動具４０の第２噛歯４２との噛合制限を解除する。図１１に示すように、これにより、前記可動片３０を回動させることで、受載節３５の頂端に結合される引出し７０を連動して所定の角度回動させることが達成できるため、引出し７０を再び所定の角度回動させ、このとき、前記ラッチ作動具４０の突起４６が前記接合具２０の切欠き２３の端部による当止を受けて回動角度が過大になるのを防止することができる。図１２〜図１５に示すように、前記捩動部５１６に再び力を加えることにより、前記捩動具５１を回動させると共に、それにつれて前記第１調整具５２を回動させるように動作することで、当該調整溝５２５を当該円柱５３１に沿って移動させ、そして前記接合溝５２６により当該円柱５３１を当該固定溝５２４内に位置させ、及び当該係止規制突起５１２を当該可動溝４４から第２位置制限溝４５に変位させ、前記調整組付具５０を前記止付け部４７の方向とは反対方向に向かって変位させ、そして前記止付け部４７と前記当止板２１が再び前記ロック接続節１１と前記結合節３１へ押し当て、かつ当該第１噛歯２５が再び当該第２噛歯４２に噛合されることで、前記可動片３０を回動させないようにするので、使用者の腕を最も心地よいく前記引出し７０上に乗せ置くことができる。
【産業上の利用可能性】
【００２２】
上記の具体的な実施例の構造により、下記の効果利益が得られる。
【００２３】
調整組付具５０をラッチ作動具４０の方向に向かって変位させることにより、前記調整組付具５０の変位によって接合具２０の変位を連動させることで、前記ラッチ作動具４０と前記接合具２０によるロック接続具１０のロック接続節１１と可動片３０の結合節３１への押し当てを解除し、かつ前記接合具２０の第１噛歯２５が前記ラッチ作動具４０の第２噛歯４２との噛合制限を解除し、これにより、前記可動片３０を回動させることで、受載節３５の頂端に結合される引出し７０を連動して所定の角度回動させることが達成できるので、使用者の腕を最も心地よい姿勢で前記引出し７０上に乗せ置くことができる。
【符号の説明】
【００２４】
１：角度調整機構
１０：ロック接続具
１１：ロック接続節
１２：穿孔
１３：第１係止規制溝
１４：第１挟持節
１５：折曲節
１６：第２挟持節
１７：挟持口
２０：接合具
２１：当止板
２２：継合部
２３：切欠き
２４：当止突起
２５：第１噛歯
２６：凸柱
２７：組付接続部
２８：第１ネジロック孔
３０：可動片
３１：結合節
３２：通孔
３３：第１固定孔
３４：第２係止規制溝
３５：受載節
３６：凹窪空間
３７：第１結合孔
４０：ラッチ作動具
４１：貫通孔
４２：第２噛歯
４３：第１位置制限溝
４４：可動溝
４５：第２位置制限溝
４６：突起
４７：止付け部
４８：第２固定孔
５０：調整組付具
５１：捩動具
５１１：収容空間
５１２：係止規制突起
５１３：装置孔
５１４：組付接続突起
５１５：貫設孔
５１６：捩動部
５２：第１調整具
５２１：収容孔
５２２：組付接続溝
５２３：組合せ部
５２４：固定溝
５２５：調整溝
５２６：接合溝
５３：第２調整具
５３１：円柱
５３２：凹孔
５３３：取付け孔
５３４：第２ネジロック孔
５４：蓋キャップ
５４１：組合せ孔
６０：第１ネジロック具
６１：第２ネジロック具
７０：引出し
７１：スライドレール
７１１：長溝
７２：スライド駒
７２１：第２結合孔
７３：第３ネジロック具
【図１】
0003220592.tif 000003
【図２】
0003220592.tif 000004
【図３】
0003220592.tif 000005
【図４】
0003220592.tif 000006
【図５】
0003220592.tif 000007
【図６】
0003220592.tif 000008
【図７】
0003220592.tif 000009
【図８】
0003220592.tif 000010
【図９】
0003220592.tif 000011
【図１０】
0003220592.tif 000012
【図１１】
0003220592.tif 000013
【図１２】
0003220592.tif 000014
【図１３】
0003220592.tif 000015
【図１４】
0003220592.tif 000016
【図１５】
0003220592.tif 000017